(57)【要約】【課題】  多様な大きさのカップに対応することができ、特に介護施設、医療機関、子供の施設向けに、取外しや持ち運びが楽なため衛生的で、使用者が安全かつ簡単に使用できるカップホルダーを提供する。【解決手段】  ホルダー孔２Ａが設けられたトレー２と、ボックス部３とを有するカップホルダー１であって、トレー２は、上蓋としてボックス部３に着脱可能に載せられ、ボックス部３の側面３Ｇには、トレー２収納用の開口３Ｃが設けられ、ボックス部３の底板３Ｄの上面の開口３Ｃ側には、トレー２飛び出し防止用の部材５が備えられ、底板３Ｄには、トレー２取り出し用のＵ字状の切り口３Ｂが、開口３Ｃ側の端からボックス部３の内部に向かって底板３Ｄの平面方向に設けられている。【選択図】  図１
2016209418.tif 000002
【特許請求の範囲】
【請求項１】
ホルダー孔が設けられたトレーと、ボックス部とを有するカップホルダーであって、
前記トレーは、上蓋として前記ボックス部に着脱可能に載せられ、
前記ボックス部の側面には、前記トレー収納用の開口が設けられ、
前記ボックス部の底板上面の前記開口側には、前記トレー飛び出し防止用の部材が備えられ、
前記底板には、前記トレー取り出し用のＵ字状の切り口が、前記開口側の端から前記ボックス部の内部に向かって前記底板の平面方向に設けられていることを特徴とするカップホルダー。
【請求項２】
前記Ｕ字状の切り口は、前記底板における前記開口側端の中央部分に設けられ、前記Ｕ字状の切り口の底は、前記底板の平面形状における中心を向いている請求項１に記載のカップホルダー。
【請求項３】
前記ボックス部の底板の下面には、滑り止めが設けられている請求項１または２に記載のカップホルダー。
【請求項４】
前記滑り止めの高さが１０ｍｍ以上である請求項３に記載のカップホルダー。
【発明の詳細な説明】
【技術分野】
【０００１】
本発明は、ボックス型のカップホルダー、特に介護施設、医療機関、あるいは子供の施設向けに好適な、ホルダー孔が設けられたトレーを有するボックス型のカップホルダーに関する。
【背景技術】
【０００２】
従来のカップホルダーは、揺れがあり飲み物を置けるスペースに限りがあるという条件から、主に自動車向けなど乗り物用に開発されることが多かった。例えば、特許文献１には、車両の運転席と助手席の間のフロアパネル上に車両前後方向に延在するセンターコンソールに設けられたカップホルダーで、センターコンソールの上部に、カップホルダーが車両前後方向に摺動可能に取り付けられ、センターコンソールにおけるカップホルダーの下方にはカップホルダーと、同方向へ摺動可能なトレーが取り付けられているものが記載されている。
【０００３】
特許文献２には、インストルメントパネルに、大径のカップ挿入を有するホルダー部材と、小径のカップ挿入を有するホルダー部材と、カップの台座部材とを、上記の順序で上方から各々前後方向にスライド可能に装着した自動車用のカップホルダーが記載されている。
【０００４】
特許文献３には、車両室内の設置部位から引き出し可能で、飲料用容器が挿通可能な保持穴と飲料用容器の蓋を収容可能な蓋収容部とを設けたホルダープレートと、このホルダープレートに揺動可能に設けられ、保持穴に挿通された飲料用容器の底部を支持可能な受け部材とを備えた引出し式カップホルダーが記載されている。
【０００５】
しかしながら、特許文献１〜３で開示されているカップホルダーは、自動車のセンターコンソールに設ける等の前提で、乗り物用として様々な機能を持たせるため、構造が複雑なものであった。また、このようなカップホルダーは、複雑な構造かつ乗り物に設置する前提なので着脱に難があり、清掃の問題、衛生面にも課題があった。
【０００６】
ところで、介護施設、病院、子供の施設向けなど、身体の不自由な方や小児を対象に、例えば熱いものをこぼさないようにする、あるいは、脳血管障害や、認知症の患者、その介護の従事者などでもカップ類を使用しやすいようにするといった対策が必要な分野に、カップホルダーはニーズが有る。また、こうした施設において、食事用には、カップでも麺類やスープ類の発泡スチロール製のカップなどがあり、適宜の大きさのカップに対応できるカップホルダーが必要である。
【先行技術文献】
【特許文献】
【０００７】
【特許文献１】特開２００５−１１２２２１号公報
【特許文献２】実開平６−６０９１号公報
【特許文献３】特開２００７−１９１０５２号公報
【発明の概要】
【発明が解決しようとする課題】
【０００８】
一般的に開発されているような特許文献１〜３に記載されたカップホルダーは、上述のように、車載用途の便利さを追求するあまり、取外しが難しくなり、構造が複雑になっている。従って、かえって製品が介護施設、病院施設、あるいは子供の施設向けに合わない。仮にこの構成を無理に対人サービスの用途に適用しようとしても、ぶつかったり、落下させたりすることも想定される。また、取外しや持ち運びに不便であって洗浄しにくいと、院内感染などが想定される施設には向かない。さらに、介護施設等向けに、食事の際に適宜の大きさのカップに対応できるカップホルダーを作成するという点で改善の余地が残されていた。
【０００９】
そこで、本発明が解決しようとする課題は、多様な大きさのカップに対応することができ、特に介護施設、医療機関、子供の施設向けに、取外しや持ち運びが楽で、衛生的で使用者が安全かつ簡単に使用できるカップホルダーを提供することにある。
【課題を解決するための手段】
【００１０】
本発明者は、上記課題を解決すべく鋭意研究を重ねた結果、下記の発明が上記目的に合致することを見出し、本発明に至った。
【００１１】
本発明のカップホルダーは、ホルダー孔が設けられたトレーと、ボックス部とを有するカップホルダーであって、
前記トレーは、上蓋として前記ボックス部に着脱可能に載せられ、
前記ボックス部の側面には、前記トレー収納用の開口が設けられ、
前記ボックス部の底板上面の前記開口側には、前記トレー飛び出し防止用の部材が備えられ、
前記底板には、前記トレー取り出し用のＵ字状の切り口が、前記開口側の端から前記ボックス部の内部に向かって前記底板の平面方向に設けられていることを特徴とする。
【００１２】
このように構成すれば、単純な構造であるボックス部とトレーが基本構造になっているため容易に使用でき、洗浄も容易のため、カップホルダーの清潔さを保てる。ホルダー孔の大きさと数が多様なトレーを交換すれば、多様な大きさと数のカップに対応することができる。ボックス部の側面には、トレー収納用の開口が設けられ、ボックス部の開口側には、トレー飛び出し防止用の部材があるので、トレーを収納し、トレーが滑り出ることを防げるため安全に使用できる。ボックス部の底板には、トレー取り出し用のＵ字状の切り口が、開口側の端から前記ボックス内部に向かって前記底板の平面方向に設けられているので、この切り口の部分から使用者がトレーを指でつまむと簡単にトレーを取り出せる。
【００１３】
また、本発明のカップホルダーにおける前記Ｕ字状の切り口は、前記底板における前記開口側端の中央部分に設けられ、前記Ｕ字状の切り口の底は、前記底板の平面形状における中心を向いている。このように構成すれば、トレーをボックス部から取り出す際に、使用者は片手の指でトレーの端の中央をつまめばよく、カップホルダー本体からトレーを取り出すことがより容易になる。
【００１４】
また、本発明のカップホルダーの前記ボックス部の底板の下面には、滑り止めが設けられている。このように構成すれば、カップホルダー本体が滑りにくくなり、使用者はより安全にカップホルダーを使用できる。
【００１５】
また、本発明のカップホルダーの前記滑り止め高さが１０ｍｍ以上である。このように構成すれば、ボックス部の底面とカップホルダーの置く机などの平面の間に、ちょうど人間の指程度の隙間ができるため、使用者がトレーをより容易に取り出せる。
【発明の効果】
【００１６】
本発明によれば、多様な大きさのカップに対応することができ、特に介護施設、医療機関、子供の施設向けに、衛生的で、使用者が安全かつ楽に使用できるカップホルダーを提供することができる。
【図面の簡単な説明】
【００１７】
【図１】本発明に係るカップホルダーの実施例を示す斜視図である。
【図２】本発明に係るカップホルダーの実施例を示す斜視図である。
【図３】本発明に係るカップホルダーの実施例における別の態様を示す斜視図である。
【図４】本発明に係るカップホルダーの実施例における使用態様を示す説明図である。
【発明を実施するための形態】
【００１８】
以下、図１〜図４に基づいて、本発明の実施形態であるカップホルダー１及び１’について説明する。
なお、本発明について図面を示して実施例を詳細に説明するが、本発明は以下の実施例に限定されるものではなく、本発明の要旨を逸脱しない範囲において任意に変更して実施できる。
【００１９】
図１において、直方体状でボックス状のカップホルダー１は、トレー２が、上蓋としてボックス部３に着脱可能に載せられている。トレー２は、直方体状のボックス部３に合うように、平面形状が略長方形に形成されている。使用態様として、直方体状のカップホルダー１の長さ方向は、水平を保っている。そして、トレー２には、ホルダー孔２Ａが複数形成されていて、使用者がホルダー孔２Ａにカップを差し込み、カップが保持されることで、カップホルダー１として機能する。
【００２０】
図１のように、ボックス部３における側面３Ｇの下部には、底板３Ｄと側面３Ｇの板との間を開けることで、長方形状のトレー２収納用の開口３Ｃが形成されている。トレー２の長さ方向と、開口３Ｃの長さ方向の幅が略同じになっていて、トレー２をボックス部３内部へ収納することができる。
【００２１】
図示しないが、直方体状であるボックス部３のコーナーの尖った部分に対しては、丸める、あるいは弾性体をかぶせることができる。使用者がぶつかったり落としたりする場合を想定すると、それによってさらに安全になる。また、ボックス部３の形状は、図１では、直方体状だが、例えば、トレー２の平面形状を正方形にして、ボックス部３を立方体にするなどの形状が選択できる。
【００２２】
ボックス部３の各面を形成している板の素材は、形状を維持出来る素材ならば適宜のものが選択でき、例えばアクリル板やポリプロピレン等のプラスチック製であってもよく、木製であってもよい。トレー２の素材もボックス部３と同様の素材でよい。
【００２３】
開口３Ｃは、１箇所でなくともよい。例えば、図１に設けられた開口３Ｃの対面側にも、もう一つ開口３Ｃを設けることができる。この場合、対面側からも使用者はトレー２を引き出すことができる。開口３Ｃのボックス部３上方向への幅は、トレー２を収納できる幅であれば良い。
【００２４】
ボックス部３の底板３Ｄにおいて、トレー２取り出し用のＵ字状の切り口３Ｂが、開口３Ｃ側の端からボックス部３内部に向かって底板３Ｄの平面方向に、そして、開口３Ｃ側端の長さ方向の中央部分に設けられている。Ｕ字状の切り口３Ｂの底３Ｅは、ボックス部３の底板３Ｄの平面形状における中心３Ｆを向いている。このようにＵ字状の切り口３Ｂが形成されているため、トレー２を使用者が片手の指でつまみ出しやすくなっている。Ｕ字状の切り口３Ｂの底板３Ｄの長さ方向の幅は、通常のヒトの指より大きめに設計していると、よりトレー２を取り出しやすいため好ましい。Ｕ字状の切り口３Ｂの底板３Ｄ上の位置は、使用者が指でトレー２をつまみ出せる位置であるならば、上述のような中央部分でなくともよく、設けられる数は１ヶ所でなくとも良いが、トレー２を片手でつまみ出しやすい位置として、前記中央部分が好ましい。
【００２５】
ボックス３の底板３Ｄの上面の開口３Ｃ側には、四角柱状であるトレー２の飛び出し防止用の部材５が、その側面の長さ方向が底板３Ｄの長さ方向に沿うように、両端に２つ備えられている。この部材５の材料としては、適宜の素材が選択できるが、滑り止めや接着の観点からシリコーンゴムが好ましい。また、部材５の上方への高さは、収納したいと考えるトレー２の枚数に合わせればよく、その位置と数はトレー２が飛び出すことを防げるものであればよい。
【００２６】
トレー２には、円状のホルダー孔２Ａが設けられている。ホルダー孔２Ａの大きさ及び形状は、想定するカップの形状や大きさにあわせることができる。ホルダー孔２Ａの数も所望の数にすることができる。このように構成すれば、様々なホルダー孔２Ａの大きさが施された状態のトレー２を選び、それを入れ替えて使用することで、カップホルダー１は、大きさなどの違うカップに対応できる。そして、例えばペットボトル、カップ型のスープや麺類のホルダーとしても対応することができる。また、トレー２を収納したままでも、カップを挿入して使用することが可能である。
【００２７】
図２において、ボックス部３の内周には、トレー２を載せるための四角柱状の突起６が備えられている。突起６は内周を水平に囲むように設けられており、この突起６にトレー２が乗せられることによって、ボックス部３がトレー２を支えることができる。突起６を構成する素材は、適宜のものが選択できるが、滑り止めと接着の観点からシリコーンゴムが好ましい。突起６の位置をボックス部３の上方天辺から低い位置にして、トレー２が載せられる高さを低めにすることもできる。この場合、トレー２とボックス部３の側面３Ｇに段差ができる。これによって、飲み物等カップの内容物がこぼれた時に、カップホルダー１から外に飛び出すのを防止できる。これに限らず、例えばボックス部３の側面３Ｇの天辺内周に肩となる切り口を設け、そこにトレー２を載せるような構成にしてもよい。また、突起６は、ボックス部３と一体に形成してもよい。
【００２８】
図３において、本発明に係るカップホルダー１’として他の実施例を示す。ボックス部３内側の角に沿って、三角柱状の補強材７が備えられている。この補強材７は、三角形の平面形状のうち、角度の一つは略９０度になっていて、これにより直方体状のボックス部３内側の角にぴったりと嵌まる。補強材７は、直方体状のボックス部３の内側を補強する効果を有している。
【００２９】
図３において、補強材７が摩擦を起こしにくい素材であれば、トレー２は、補強材７に載せられることで収納時にボックス部３の底板から多少浮き上がり、さらにその滑りでトレー２を引き出しやすくすることができる。また、三角柱状の補強材７において、この長さ方向の断面形状を一定にすると、トレー２をボックス３の内部に水平に収納することができる。したがって収納と引き出しをさらにしやすくなる。また、図３のように、補強材７を取り付けるため、ボックス部３の底板３Ｄが開口３Ｃ側へ多少飛び出るように設計し、トレー２飛び出し防止用の部材５も同様に図示のように開口３Ｃ側の端に設置して構成してもよい。
【００３０】
このようにカップホルダー１’を構成することにより、図３上のトレー２を手前に滑りやすくすることでより使用者が指でつまんで引っ張りやすくすることができ、さらに、トレー２飛び出し防止用の部材５があるため、トレー２が勢い良く落下することを防ぐことができるので安全となる。そして、使用者が上方へ持ち上げると簡単にトレー２をボックス部３から引き出すことができる。
【００３１】
図１〜図４において、ボックス部３の底板３Ｄの下面には、円柱状の滑り止め４が複数備えられている。図４のように、病院や介護施設のベッド１０１に用いられるベッドテーブル１００に、本発明にかかるカップホルダー１を使用した場合、ベッドテーブル１００とボックス部３の底板３Ｄにある程度隙間があると、トレー２を使用者１０の指でよりつまみ出しやすくなる。そこで一般的なヒトの指が入るように、滑り止め４の高さ４Ｈが１０ｍｍ以上であると、指でトレー２をつまみやすくなるため好ましい。また、図４のように使用すれば、半身麻痺や負傷などにより、片腕が使えない方でも片手でベッド１０１にいながらにして、容易にトレー２の差し替えをして、カップホルダー１を使用できる。
【００３２】
図４のような態様で、小児向けのテーブルなどにも同様にカップホルダー１を設置することができる。設置方法としては、例えば、ベットテーブル１００と滑り止め４を接着させる、あるいは嵌合可能にすることもできる。滑り止め４のボックス部３の底板３Ｄの下面における備えられる数と位置は、ボックス部３を水平に安定的に支えられる位置と数であるならばよい。例えば、四隅に設ける、あるいはボックス部３が直方体の場合には、さらに長さ方向の中心辺縁２箇所に滑り止め４を設けて、滑り止め４を６つ設けることもできる。また、滑り止め４の素材としては、適宜のものが選択できるが、設置場所から滑り落ちないようにし、さらにボックス部３の支えとしてクッション性を持たせるため、滑り止めになるゴムが好ましい。
【産業上の利用可能性】
【００３３】
本発明は、簡易に利用できるカップホルダーであり、乗り物用、家庭用にも使用でき、特に介護施設、医療機関、子供の施設向けに、使用者が安全かつ簡単に使用できるカップホルダーとして好適に利用することができる。
【符号の説明】
【００３４】
１  カップホルダー
２  トレー
２Ａ  ホルダー孔
３  ボックス部
３Ｂ  Ｕ字状の切り口
３Ｃ  開口
３Ｄ  底板
３Ｅ  Ｕ字状の切り口の底
３Ｆ  底板の平面形状の中心
３Ｇ  側面
４  滑り止め
４Ｈ  滑り止めの高さ
５  トレー飛び出し防止用の部材
６  突起
７  補強材
１０  使用者
１００  ベッドテーブル
１０１  ベッド
【図１】
2016209418.tif 000003
【図２】
2016209418.tif 000004
【図３】
2016209418.tif 000005
【図４】
2016209418.tif 000006